(57)【要約】      （修正有）【課題】制御情報を記録した記録媒体を、容易に作成できるようにし、電化製品を容易に使いこなせるようにする。【解決手段】読込手段を具備する電化製品であって、情報を表示するための表示手段と、情報を入力するための入力手段と、情報を記憶するための記憶手段と、制御情報を記録媒体に記録するための記録手段と、情報の処理を行うための処理手段と、印刷するための印刷手段と、を具備する。処理手段が、表示手段を用いて質問を表示するステップと、入力手段の入力を基に、関連づいた制御情報と印刷情報と、を記憶手段から抽出するステップと、抽出した制御情報を基に、記録手段を用いて制御情報を記録媒体に記録するステップと、抽出した印刷情報を基に、印刷手段を用いて、印刷するステップと、を実行する。【選択図】なし【特許請求の範囲】
【請求項１】
制御情報を記録した記録媒体、を作成することができる、記録媒体の作成システムであって、
情報を表示するための表示手段と、
情報を入力するための入力手段と、
情報を記憶するための記憶手段と、
制御情報を記録媒体に記録するための記録手段と、
情報の処理を行うための処理手段と、
印刷するための印刷手段と、
を具備し、
前記処理手段が、
前記表示手段を用いて質問を表示するステップと、
前記入力手段の入力を基に、関連づいた制御情報と印刷情報と、を記憶手段から抽出するステップと、
抽出した制御情報を基に、記録手段を用いて制御情報を記録媒体に記録するステップと、
抽出した印刷情報を基に、印刷手段を用いて、印刷するステップと、
を実行できる、
ことを特徴とする、記録媒体の作成システム。
【請求項２】
制御情報を記録した記録媒体、を作成することができる、記録媒体の作成装置であって、
情報を表示するための表示手段と、
情報を入力するための入力手段と、
制御情報を記録媒体に記録するための記録手段と、
情報の処理を行うための処理手段と、
印刷するための印刷手段と、
を具備し、
前記処理手段が、
前記表示手段を用いて質問を表示するステップと、
前記入力手段の入力を基に、関連づいた制御情報と印刷情報と、を記憶手段から抽出するステップと、
抽出した制御情報を基に、記録手段を用いて制御情報を記録媒体に記録するステップと、
抽出した印刷情報を基に、印刷手段を用いて、印刷するステップと、
を実行できる、
ことを特徴とする、記録媒体の作成装置。
【請求項３】
制御情報を記録した記録媒体、を作成することができる、記録媒体の作成システムであって、
情報を読み込むための読込手段と、
情報を表示するための表示手段と、
情報を入力するための入力手段と、
制御情報を記録媒体に記録するための記録手段と、
情報の処理を行うための処理手段と、
を具備し、
前記処理手段が、
前記読込手段を用いて、読込手段が読み込める形で情報を付加した対象物から、情報を読み込むステップと、
前記表示手段を用いて読み込んだ情報を基に質問を表示するステップと、
前記入力手段により入力した情報を基に、記録手段を用いて制御情報を記録媒体に記録するステップと、
を実行できる、
ことを特徴とする、記録媒体の作成システム。
【請求項４】
制御情報を記録した記録媒体、を作成することができる、記録媒体の作成装置であって、
情報を読み込むための読込手段と、
情報を表示するための表示手段と、
情報を入力するための入力手段と、
制御情報を記録媒体に記録するための記録手段と、
情報の処理を行うための処理手段と、
を具備し、
前記処理手段が、
前記読込手段を用いて、読込手段が読み込める形で情報を付加した対象物から、情報を読み込むステップと、
前記表示手段を用いて、読み込んだ情報を基に質問を表示するステップと、
前記入力手段により入力した情報を基に、記録手段を用いて制御情報を記録媒体に記録するステップと、
を実行できる、
ことを特徴とする、記録媒体の作成装置。
【請求項５】
制御情報を記録した記録媒体、を作成することができる、記録媒体の作成システムであって、
情報を読み込むための読込手段と、
情報を表示するための表示手段と、
情報を入力するための入力手段と、
制御情報を記録媒体に記録するための記録手段と、
情報の処理を行うための処理手段と、
印刷するための印刷手段と、
を具備し、
前記処理手段が、
前記読込手段を用いて、読込手段が読み込める形で情報を付加した対象物から、情報を読み込むステップと、
前記表示手段を用いて読み込んだ情報を基に質問を表示するステップと、
前記入力手段により入力した情報を基に、記録手段を用いて制御情報を記録媒体に記録するステップと、
前記入力手段により入力した情報を基に、印刷手段を用いて、印刷するステップと、
を実行できる、
ことを特徴とする、記録媒体の作成システム。
【請求項６】
制御情報を記録した記録媒体、を作成することができる、記録媒体の作成装置であって、
情報を読み込むための読込手段と、
情報を表示するための表示手段と、
情報を入力するための入力手段と、
制御情報を記録媒体に記録するための記録手段と、
情報の処理を行うための処理手段と、
印刷するための印刷手段と、
を具備し、
前記処理手段が、
前記読込手段を用いて、読込手段が読み込める形で情報を付加した対象物から、情報を読み込むステップと、
前記表示手段を用いて、読み込んだ情報を基に質問を表示するステップと、
前記入力手段により入力した情報を基に、記録手段を用いて制御情報を記録媒体に記録するステップと、
前記入力手段により入力した情報を基に、印刷手段を用いて、印刷するステップと、
を実行できる、
ことを特徴とする、記録媒体の作成装置。
【請求項７】
請求項１、請求項５、の少なくとも１つ記載の記録媒体の作成システムであって、
印刷手段と、記録手段と、を一つの手段として構成し、
印刷手段による印刷と、記録手段による制御情報の記録と、を一度に実行できる、
ことを特徴とする、記録媒体の作成システム。
【請求項８】
請求項２、請求項６、の少なくとも１つ記載の記録媒体の作成装置であって、
印刷手段と、記録手段と、を一つの手段として構成し、
印刷手段による印刷と、記録手段による制御情報の記録と、を一度に実行できる、
ことを特徴とする、記録媒体の作成装置。
【請求項９】
記録媒体の読込手段を具備し、
請求項１、請求項３、請求項５、請求項７、の少なくとも１つ記載の、記録媒体の作成システムにより作成した記録媒体に記録されている、制御情報を読み込み、
読み込んだ制御情報を基に制御を実行できる、
ことを特徴とする、電化製品。
【請求項１０】
記録媒体の読込手段を具備し、
請求項２、請求項４、請求項６、請求項８、の少なくとも１つ記載の、記録媒体の作成装置により作成した記録媒体に記録されている、制御情報を読み込み、
読み込んだ制御情報を基に制御を実行できる、
ことを特徴とする、電化製品。
【発明の詳細な説明】
【技術分野】
【０００１】
本発明は、主に、記録媒体の作成システム(装置)、および作成した記録媒体によって制御可能な電化製品に関する物である。
【背景技術】
【０００２】
従来、家電製品および電気制御可能な製品（以下両方を合わせて電化製品とする）、は周知の制御方法によって制御されている。
（例えば非特許文献１、非特許文献２、非特許文献３、非特許文献４、参照）  
【０００３】
電化製品としては周知の物として、映像を表示するためのテレビ、映像を録画するための録画用デッキ、録画された映像を再生するための再生用デッキ、映像を録画および再生するための録画再生用デッキ、洗濯をするための洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、自動車の道案内をするためのカーナビ、などがあり、上記以外にも周知の物が多くある。
（例えば非特許文献２、非特許文献３、非特許文献４、参照）
【０００４】
記録媒体（記憶媒体）の制御情報（プログラム）を基に制御可能な電化製品がある。
（例えば特許文献１、特許文献２）
【先行技術文献】
【特許文献】
【０００５】
【特許文献１】特開２０１６−１２６５２４号公報
【特許文献２】特開２００６−３０２００８号公報
【非特許文献】
【０００６】
【非特許文献１】門田和雄著、「今日からモノ知りシリーズトコトンやさしい制御の本」日刊工業新聞社出版、２０１１年７月２８日発行、１０‐１５６頁
【非特許文献２】佐藤銀平著、「化学のはたらきシリーズ第１巻「家電製品がわかる１」-アインシュタインの冷蔵庫-」東京書籍株式会社出版、２００８年１月３０日、１２‐２１６頁
【非特許文献３】佐藤銀平著、「化学のはたらきシリーズ第２巻「家電製品がわかる２」-相対性理論で正しく動くＧＰＳ-」東京書籍株式会社出版、２００８年１月３０日、２‐２１７頁
【非特許文献４】安藤龍男発行、「家電製品エンジニア資格生活家電の基礎と製品技術」日本放送出版協会発行、２００１年５月３０日、１‐４３７頁
【発明の概要】
【発明が解決しようとする課題】
【０００７】
電化製品を、電化製品に不慣れな者が使用する場合、十分に使いこなせないといった問題があった。
【０００８】
特許文献１、特許文献２、のような、記録媒体を基に電化製品を制御できるようにすることで、電化製品を容易に使えるようにした物があるが、制御情報を記録した記録媒体を作成する際に、電化製品に不慣れな者が使いたい機能を、把握し作成することは容易ではなかった。
【課題を解決するための手段】
【０００９】
課題を解決するための請求項１記載の記録媒体の作成システムは、制御情報を記録した記録媒体、を作成することができる、記録媒体の作成システムであって、情報を表示するための表示手段と、情報を入力するための入力手段と、情報を記憶するための記憶手段と、制御情報を記録媒体に記録するための記録手段と、情報の処理を行うための処理手段と、印刷するための印刷手段と、を具備し、前記処理手段が、前記表示手段を用いて質問を表示するステップと、前記入力手段の入力を基に、関連づいた制御情報と印刷情報と、を記憶手段から抽出するステップと、抽出した制御情報を基に、記録手段を用いて制御情報を記録媒体に記録するステップと、抽出した印刷情報を基に、印刷手段を用いて、印刷するステップと、を実行できる、ことを特徴としている。
【００１０】
課題を解決するための請求項２記載の記録媒体の作成装置は、制御情報を記録した記録媒体、を作成することができる、記録媒体の作成装置であって、情報を表示するための表示手段と、情報を入力するための入力手段と、制御情報を記録媒体に記録するための記録手段と、情報の処理を行うための処理手段と、印刷するための印刷手段と、を具備し、前記処理手段が、前記表示手段を用いて質問を表示するステップと、前記入力手段の入力を基に、関連づいた制御情報と印刷情報と、を記憶手段から抽出するステップと、抽出した制御情報を基に、記録手段を用いて制御情報を記録媒体に記録するステップと、抽出した印刷情報を基に、印刷手段を用いて、印刷するステップと、を実行できる、ことを特徴としている。
【００１１】
課題を解決するための請求項３記載の記録媒体の作成システムは、制御情報を記録した記録媒体、を作成することができる、記録媒体の作成システムであって、情報を読み込むための読込手段と、情報を表示するための表示手段と、情報を入力するための入力手段と、制御情報を記録媒体に記録するための記録手段と、情報の処理を行うための処理手段と、を具備し、前記処理手段が、前記読込手段を用いて、読込手段が読み込める形で情報を付加した対象物から、情報を読み込むステップと、前記表示手段を用いて読み込んだ情報を基に質問を表示するステップと、前記入力手段により入力した情報を基に、記録手段を用いて制御情報を記録媒体に記録するステップと、を実行できる、ことを特徴としている。
【００１２】
課題を解決するための請求項４記載の記録媒体の作成装置は、制御情報を記録した記録媒体、を作成することができる、記録媒体の作成装置であって、情報を読み込むための読込手段と、情報を表示するための表示手段と、情報を入力するための入力手段と、制御情報を記録媒体に記録するための記録手段と、情報の処理を行うための処理手段と、を具備し、前記処理手段が、前記読込手段を用いて、読込手段が読み込める形で情報を付加した対象物から、情報を読み込むステップと、前記表示手段を用いて、読み込んだ情報を基に質問を表示するステップと、前記入力手段により入力した情報を基に、記録手段を用いて制御情報を記録媒体に記録するステップと、を実行できる、ことを特徴としている。
【００１３】
課題を解決するための請求項５記載の記録媒体の作成システムは、制御情報を記録した記録媒体、を作成することができる、記録媒体の作成システムであって、情報を読み込むための読込手段と、情報を表示するための表示手段と、情報を入力するための入力手段と、制御情報を記録媒体に記録するための記録手段と、情報の処理を行うための処理手段と、印刷するための印刷手段と、を具備し、前記処理手段が、前記読込手段を用いて、読込手段が読み込める形で情報を付加した対象物から、情報を読み込むステップと、前記表示手段を用いて読み込んだ情報を基に質問を表示するステップと、前記入力手段により入力した情報を基に、記録手段を用いて制御情報を記録媒体に記録するステップと、前記入力手段により入力した情報を基に、印刷手段を用いて、印刷するステップと、を実行できる、
ことを特徴としている。
【００１４】
課題を解決するための請求項６記載の記録媒体の作成装置は、制御情報を記録した記録媒体、を作成することができる、記録媒体の作成装置であって、情報を読み込むための読込手段と、情報を表示するための表示手段と、情報を入力するための入力手段と、制御情報を記録媒体に記録するための記録手段と、情報の処理を行うための処理手段と、印刷するための印刷手段と、を具備し、前記処理手段が、前記読込手段を用いて、読込手段が読み込める形で情報を付加した対象物から、情報を読み込むステップと、前記表示手段を用いて、読み込んだ情報を基に質問を表示するステップと、前記入力手段により入力した情報を基に、記録手段を用いて制御情報を記録媒体に記録するステップと、前記入力手段により入力した情報を基に、印刷手段を用いて、印刷するステップと、を実行できる、ことを特徴としている。
【００１５】
課題を解決するための請求項７記載の記録媒体の作成システムは、請求項２、請求項６、請求項１、請求項５、の少なくとも１つ記載の記録媒体の作成システムであって、印刷手段と、記録手段と、を一つの手段として構成し、印刷手段による印刷と、記録手段による制御情報の記録と、を一度に実行できる、ことを特徴としている。
【００１６】
課題を解決するための請求項８記載の記録媒体の作成装置は、請求項４、請求項８、請求項２、請求項６、の少なくとも１つ記載の記録媒体の作成装置であって、印刷手段と、記録手段と、を一つの手段として構成し、印刷手段による印刷と、記録手段による制御情報の記録と、を一度に実行できる、ことを特徴としている。
【００１７】
課題を解決するための請求項９記載の記録媒体の電化製品は、記録媒体の読込手段を具備し、請求項１、請求項２、請求項５、請求項６、請求項１、請求項３、請求項５、請求項７、の少なくとも１つ記載の、記録媒体の作成システムにより作成した記録媒体に記録されている、制御情報を読み込み、読み込んだ制御情報を基に制御を実行できる、ことを特徴としている。
【００１８】
課題を解決するための請求項１０記載の記録媒体の電化製品は、記録媒体の読込手段を具備し、請求項３、請求項４、請求項７、請求項８、請求項２、請求項４、請求項６、請求項８、の少なくとも１つ記載の、記録媒体の作成装置により作成した記録媒体に記録されている、制御情報を読み込み、読み込んだ制御情報を基に制御を実行できる、ことを特徴としている。
【発明の効果】
【００１９】
請求項１から請求項６に記載されている、記録媒体の作成システム（装置）によれば、使用者が機能を把握せずとも質問に回答するだけで制御情報を記録した記録媒体を容易に作成できるようになる。
【００２０】
請求項３から請求項６に記載されている、記録媒体の作成システム（装置）によれば、電化製品とともに入手することができる物（対象物）から情報を読み込むだけで、電化製品に対応した、記録媒体を作成するための質問を容易に表示することができるようになる。
【００２１】
請求項１、請求項２、請求項５、請求項６、請求項７、請求項８、に記載されている、記録媒体の作成システム（装置）によれば、どのような制御情報が記録されているかを印刷でき、記録されている制御情報を使用者が容易に把握することができるようになり、使用者にとってより使いやすいものとなる。また、制御情報と関連づいた情報を基に、印刷でき、記録媒体の表記が、誤った表記となることを防ぐことができる。
【００２２】
請求項７、請求項８記載されている、記録媒体の作成システム（装置）によれば、使用者は、記録媒体を、記録手段にセットした後、印刷手段にセットする、もしくは、印刷手段にセットした後、記録手段にセットする、といった手間をなくすことができる。
【００２３】
請求項９、請求項１０記載の電化製品によれば、制御情報を記録した記録媒体を用いることにより、容易に電化製品を使いこなすことができる。
【発明を実施するための形態】
【００２４】
記録媒体の作成システム（装置）を、表示手段と、入力手段と、記録手段と、処理手段と、印刷手段と、から、表示手段を用いて質問情報を表示し、入力手段により回答を入力できる、ように構成する。また、印刷手段を加え記録した制御情報がどういった機能かを示す内容を印刷できるようにすることがより望ましい。
【００２５】
記録媒体の作成システム（装置）を、表示手段と、入力手段と、記録手段と、処理手段と、印刷手段と、から、表示手段を用いて質問情報を表示し、入力手段により回答を入力できる、ように構成し、入力手段による入力を基に制御情報と印刷情報を抽出し、記録手段を用いて抽出した制御情報を記録媒体に記録し、印刷手段を用いて抽出した印刷情報を基に印刷できるように構成する。作成システム（装置）を構成する場合、関連づいたシステム（装置）として稼働できればよく、その形を問わない。例えば、パーソナルコンピュータとその周辺機器のような形でよい。各手段との接続は、有線、無線、どちらでもよく、有線、無線、どちらの方法（物）についても周知の物があり、最適な方法（物）を用いればよく、詳細な説明を省略するが、例えば、有線通信、無線通信、などがある。また、印刷手段を加える場合には、関連づいた作成システム（装置）として稼働できればよく、例えば、周辺機器のような形で加えればよく、この限りではない。その他にも例えば、周知の物としてある複合機のように全ての手段を組合せ一つの装置として構成してもよい。
【００２６】
読込手段は、情報を読み込むための物である。読込手段は周知の物があり、読み込む対象に応じて最適な物を用いればよく、詳細な説明を省略するが、例えば、周知の物として、一次元コード（バーコードなど）の情報を読み込むための一次元コードリーダ（バーコードリーダなど）、二次元コード（マトリックスコード、スタックコードなど）の情報を読み込むための２次元コードリーダ（マトリックスコードリーダ、スタックコードリーダ）、などのコードリーダ、ＩＣチップから情報を読み込むためのＩＣチップリーダ、磁気カードから情報を読み込むための磁気リーダ、ＩＣカードから情報を読み込むためのＩＣカードリーダ、メモリカードリーダ、ＵＳＢメモリリーダ、ディスクドライブ、ＭＯ、などの記録媒体から情報を読み込む読込機器、などがあり、この限りではない。読込手段の種類により読み込み可能な状態が異なるが、説明の便宜上、読込手段による情報の読み込みが可能な状態にすることを、以下、読込手段にセットする、とする。
【００２７】
読込手段にセットする、の例としては、読込手段が非接触型の読込手段の場合は読込位置に読込対象となる物を持っていき読み込みを待つ、もしくは読込対象となる物の読込箇所に読込手段を持っていき読み込みを待つ、読込手段が接触型の読込手段の場合は読込対象となる物を読込手段に接続し読み込みを待つ、ようにすればよく、この限りではない。
【００２８】
記録手段は、電化製品を制御するための情報としての制御情報を、記録媒体に記録する（書込む、保存する、記憶する）ための物である。記録手段は周知の物があり、記録媒体に応じて最適な物を用いればよく、詳細な説明を省略するが、例えば、周知の物としてＩＣカードライタ、ＩＣチップライタ、メモリカードライタ、ＵＳＢメモリライタ、ディスクドライブ、ＭＯ、磁気ライタ、印刷手段（一次元コード、二次元コード、などの印刷）、などがあり、この限りではない。記録手段の種類により記録可能な状態が異なるが、説明の便宜上、記録手段による情報の記録が可能な状態にすることを、以下、記録手段にセットする、とする。
【００２９】
記録手段にセットする、の例としては、記録手段が非接触型の記録手段の場合は記録位置に記録媒体を持っていき記録を待つ、もしくは記録媒体へ記録手段を近づけ記録を待つ、記録手段が接触型の記録手段の場合は記録媒体を記録手段に接続し記録を待つ、ようにすればよく、この限りではない。
【００３０】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがあり、この限りではない。
【００３１】
情報の処理手段は、情報の処理を行うための物である。情報の処理手段は周知の物があり、最適な物を用いればよく、詳細な説明を省略するが、例えば、周知のものとして、プロセッサ、処理装置、ＣＰＵ（処理/制御/演算装置）、ＭＰＵ（処理/制御/演算装置）、マイクロコントローラなどがあり、この限りではない。
【００３２】
記録媒体は、電化製品の記憶手段とは別に制御情報を記録するための物である。記録媒体は周知の物があり、最適な物を用いればよく、詳細な説明を省略するが、例えば、周知の物としてＩＣカード、ＩＣチップ、メモリカード、ＵＳＢメモリ、光ディスク、ＭＯ、磁気カード、カード（印刷媒体）、などがあり、この限りではない。
【００３３】
表示手段は、情報を表示するための物である。表示手段は周知の物があり最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがあり、この限りではない。
【００３４】
入力手段は、情報の入力を行うための物である。入力手段は周知の物があり最適な物を用いればよく、詳細な説明を省略するが、例えば、周知の物として、スイッチ、リモートコントローラー、タッチパネル、キーボードなどがあり、この限りではない。
【００３５】
制御情報は、電化製品を制御するためのプログラムや、電化製品を制御するためのプログラムを選択するためのキー情報や、など制御情報を読み込んだ電化製品が、所定の動作を行うことができる物であればよい。キー情報は識別子のような情報で良い。例えば、キー情報が１００１であれば対応するプログラムがプログラムＡ、キー情報が１０１０であれば対応するプログラムがプログラムＢ、のようにキー情報毎に対応するプログラムを予め設定しておく。
【００３６】
印刷手段は、情報を印刷するための物である。印刷手段は周知の物があり、記録媒体に応じて最適な物を用いればよく、詳細な説明を省略するが、例えば、周知の物として、ＩＣカードなどのカード形状の物へ印刷可能な印刷手段、ＵＳＢメモリなどの立体形状の物へ印刷可能な印刷手段、ＣＤやＤＶＤなどの円盤形状の物へ印刷可能な印刷手段、などの記録媒体に直接印刷する印刷手段や、シールなどの記録媒体に張り付け可能な物への印刷手段や、この他にも、印刷機、プリンター、などがあり、この限りではない。説明の便宜上、印刷手段による印刷対象への印刷が可能な状態にすることを、以下、印刷手段にセットする、とする。
【００３７】
印刷手段と、記録手段と、は一つの手段として構成し、印刷手段による印刷と、記録手段による制御情報の記録と、が一度に行えるようにすることがより望ましく、例えば、印刷手段の記録媒体をセットする位置に、記録手段を具備し、印刷手段による印刷と、記録手段による制御情報の記録と、が一度に行えるようにする。この場合、例えば、記録媒体をＩＣカード、記録手段を非接触型のＩＣカードライタ、とし、印刷手段のＩＣカードをセットする位置に、ＩＣカードライタを具備するようにすればよい。その他の例としては、周知の物としてある給紙型のプリンターでいうところの、給紙位置、印刷位置、排紙位置、のいずれかに非接触型の記録手段を具備すればよい。印刷手段による印刷と、記録手段による制御情報の記録と、が一度に行えるのであればどのような形でもよく、この限りではない。
【００３８】
作成システム（装置）に印刷手段を加え、機能（制御情報）を示す内容を印刷できるようにすることがより望ましい。
【００３９】
機能（制御情報）を示す内容を印刷する場合の印刷内容は、制御情報がどのような制御を行う物であるかを示す物である。印刷内容は周知の物があり、最適なものを用いればよく、詳細な説明は省略するが、例えば制御情報が、洗濯、を実行するための制御情報である場合、洗濯、と文字を印刷したり、洗濯、とわかるような記号や絵などを印刷したりすればよく、印刷内容を限定するものでなく使用者がわかるものであれば良い、周知の物としては、例えば、家電に記載されているような物や、家電の説明書に記載されているような物、日用品に記載されているような物などがある。また、印刷内容は、印刷情報として、制御情報毎に関連付けて設定しておく。
【００４０】
処理の流れの一例を以下に説明する。
１）作成システム（装置）の 処理手段は、表示手段を用いて、質問情報を基に質問を表示する処理を行う。
２）使用者は、入力手段を用いて、質問への回答を入力する。
３）作成システム（装置）の処理手段は、入力手段の入力を基に、制御情報と印刷情報とを記憶手段から抽出する処理を行う。
４）使用者は、記録媒体を記録手段にセットする。
３）作成システム（装置）の処理手段は、記録手段を用いて、抽出した制御情報を、記録媒体に記録する処理を行う。
５）使用者は、記録媒体を印刷手段にセットする。
４）作成システム（装置）の処理手段は、印刷手段を用いて、抽出した印刷情報を基にした印刷を行う処理を行う。
【実施例１】
【００４１】
記録媒体の作成システム（装置）を、表示手段と、入力手段と、記録手段と、処理手段と、印刷手段と、から、表示手段を用いて質問情報を表示し、入力手段により回答を入力できる、ように構成し、入力手段による入力を基に制御情報と印刷情報を抽出し、記録手段を用いて抽出した制御情報を記録媒体に記録し、印刷手段を用いて抽出した印刷情報を基に印刷できるように構成する。作成システム（装置）を構成する場合、関連づいたシステム（装置）として稼働できればよく、その形を問わない。例えば、パーソナルコンピュータとその周辺機器のような形でよい。
【００４２】
質問情報は、制御情報を抽出するための入力を促すための質問とその回答に関する情報である。質問情報の回答毎に制御情報を関連付けておき、入力情報による入力に応じて、制御情報と印刷情報とを抽出できる、ようにする。例えば、制御情報が洗濯乾燥機に関する物である場合、質問情報としては、何をしたいですか？といった質問と同時に、選択肢として、衣類を洗いたい、毛布を洗いたい、衣類を乾燥したい、といった選択肢の表示を可能とするための情報とし、入力手段による選択（入力）により制御情報と印刷情報とが抽出できるようにする。この場合、入力手段によって、衣類を洗いたい、を選択する入力があった場合には洗濯（衣類）に関する制御情報と印刷情報とを、毛布を洗いたい、を選択する入力があった場合には洗濯（毛布）に関する制御情報と印刷情報とを、衣類を乾燥したい、を選択する入力があった場合には乾燥（衣類）に関する制御情報と印刷情報とを、抽出できるように回答に関連付けて記憶手段に記憶しておく。
【００４３】
実施例１の場合の、処理の流れの一例を以下に説明する。
１）作成システム（装置）の 処理手段は、表示手段を用いて、質問情報を基に質問を表示する処理を行う。
２）使用者は、入力手段を用いて、質問への回答を入力する。
３）作成システム（装置）の処理手段は、入力手段の入力を基に、制御情報と印刷情報とを記憶手段から抽出する処理を行う。
４）使用者は、記録媒体を記録手段にセットする。
３）作成システム（装置）の処理手段は、記録手段を用いて、抽出した制御情報を、記録媒体に記録する処理を行う。
５）使用者は、記録媒体を印刷手段にセットする。
４）作成システム（装置）の処理手段は、印刷手段を用いて、抽出した印刷情報を基にした印刷を行う処理を行う。
【実施例２】
【００４４】
記録媒体の作成システム（装置）を、読込手段と、表示手段と、入力手段と、記録手段と、処理手段と、から、対象物から情報を読み込み、読み込んだ情報を基に表示手段を用いて質問を表示し、入力手段により回答を入力できる、ように構成し、入力した回答内容を基に制御情報を抽出し、記録手段を用いて抽出した制御情報を記録媒体に記録できるように構成する。作成システム（装置）を構成する場合、関連づいたシステム（装置）として稼働できればよく、その形を問わない。例えば、パーソナルコンピュータとその周辺機器のような形でよい。
【００４５】
質問情報は、制御情報を抽出するための入力を促すための質問とその回答に関する情報である。質問情報の回答毎に制御情報を関連付けておき、入力情報による入力に応じて、制御情報を抽出できる、ように作成システム（装置）の記憶手段に記憶しておく。例えば、制御情報が洗濯乾燥機に関する物である場合、質問情報としては、何をしたいですか？といった質問と同時に、選択肢として、衣類を洗いたい、毛布を洗いたい、衣類を乾燥したい、といった選択肢の表示を可能とするための情報とし、入力手段による選択（入力）により制御情報が抽出できるようにする。この場合、入力手段によって、衣類を洗いたい、を選択する入力があった場合には洗濯（衣類）に関する制御情報を、毛布を洗いたい、を選択する入力があった場合には洗濯（毛布）に関する制御情報を、衣類を乾燥したい、を選択する入力があった場合には乾燥（衣類）に関する制御情報を、抽出できるように回答に関連付けて記憶手段に記憶しておく。
【００４６】
対象物には読込手段が読込可能な情報として、質問関連情報もしくは質問情報を付加する。読込可能な情報を付加する方法としては、周知の方法があり、最適な方法を用いればよく、詳細な説明を省略するが、周知の物として例えば、コード（一次元コード、二次元コード、など）として対象物に情報を印刷する方法や、ＩＣチップなどの情報を記憶可能な媒体に情報を記憶し対象物に付加する方法などがある。
【００４７】
対象物は、電化製品とともに入手することができる物であることが望ましい。例えば、電化製品のパッケージ（包装）や、説明書、カード（電化製品と同梱）、のいずれかであることが望ましい。
【００４８】
質問関連情報は質問情報を抽出するための情報である。質問関連情報を対象物に付加する場合、例えば、質問関連情報毎にどの質問情報を抽出するか、を予め設定し作成システム（装置）の記憶手段に記憶しておき、質問関連情報に応じた質問情報を抽出できるようにするとよい。質問関連情報は識別子のような情報で良い。例えば、質問関連情報が１００１１であれば質問情報として洗濯機Ａ型用の質問情報を抽出、質問関連情報が１１０１１であれば質問情報として洗濯機Ｂ型用の質問情報を抽出、のように質問関連情報毎に対応する質問情報を予め設定しておく。
【００４９】
実施例２の場合であって、対象物に質問情報を付加した場合の、処理の流れの一例を以下に説明する。
１）使用者は、対象物を読込手段にセットする。
２）作成システム（装置）の処理手段は、読込手段を用いて、対象物から質問情報を読み込む処理を行う。
３）作成システム（装置）の 処理手段は、表示手段を用いて、読み込んだ質問情報を基に質問を表示する処理を行う。
４）使用者は、入力手段を用いて、質問への回答を入力する。
５）作成システム（装置）の処理手段は、入力手段の入力を基に、制御情報を記憶手段から抽出する処理を行う。
６）使用者は、記録媒体を記録手段にセットする。
７）作成システム（装置）の処理手段は、記録手段を用いて、抽出した制御情報を、記録媒体に記録する処理を行う。
【００５０】
実施例２の場合であって、対象物に質問関連情報を付加した場合の、処理の流れの一例を以下に説明する。
１）使用者は、対象物を読込手段にセットする。
２）作成システム（装置）の処理手段は、読込手段を用いて、対象物から質問関連情報を読み込む処理を行う。
３）作成システム（装置）の処理手段は、読み込んだ質問関連情報を基に、質問情報を抽出する処理を行う。
４）作成システム（装置）の 処理手段は、表示手段を用いて、抽出した質問情報を基に質問を表示する処理を行う。
５）使用者は、入力手段を用いて、質問への回答を入力する。
６）作成システム（装置）の処理手段は、入力手段の入力を基に、制御情報を記憶手段から抽出する処理を行う。
７）使用者は、記録媒体を記録手段にセットする。
８）作成システム（装置）の処理手段は、記録手段を用いて、抽出した制御情報を、記録媒体に記録する処理を行う。
【００５１】
作成システム（装置）に印刷手段を加え、機能（制御情報）を示す内容を印刷できるようにすることがより望ましい。この場合、制御情報毎に印刷情報を関連付けて作成システム（装置）の記憶手段に記憶しておく。また、印刷手段を加える場合には、関連づいた作成システム（装置）として稼働できればよく、例えば、周辺機器のような形で加える方法、一つの装置として稼働可能なように加える方法、などがありこの限りではない。
【００５２】
実施例２の場合であって、作成システム（装置）に印刷手段を加え、対象物に質問情報を付加した場合の、処理の流れの一例を以下に説明する。
１）使用者は、対象物を読込手段にセットする。
２）作成システム（装置）の処理手段は、読込手段を用いて、対象物から質問情報を読み込む処理を行う。
３）作成システム（装置）の 処理手段は、表示手段を用いて、読み込んだ質問情報を基に質問を表示する処理を行う。
４）使用者は、入力手段を用いて、質問への回答を入力する。
５）作成システム（装置）の処理手段は、入力手段の入力を基に、制御情報と印刷情報とを記憶手段から抽出する処理を行う。
６）使用者は、記録媒体を記録手段にセットする。
７）作成システム（装置）の処理手段は、記録手段を用いて、抽出した制御情報を、記録媒体に記録する処理を行う。
８）使用者は、記録媒体を印刷手段にセットする。
９）作成システム（装置）の処理手段は、印刷手段を用いて、抽出した印刷情報を基にした印刷を行う処理を行う。
【００５３】
実施例２の場合であって、作成システム（装置）に印刷手段を加え、対象物に質問関連情報を付加した場合の、処理の流れの一例を以下に説明する。
１）使用者は、対象物を読込手段にセットする。
２）作成システム（装置）の処理手段は、読込手段を用いて、対象物から質問関連情報を読み込む処理を行う。
３）作成システム（装置）の処理手段は、読み込んだ質問関連情報を基に、質問情報を抽出する処理を行う。
４）作成システム（装置）の 処理手段は、表示手段を用いて、抽出した質問情報を基に質問を表示する処理を行う。
５）使用者は、入力手段を用いて、質問への回答を入力する。
６）作成システム（装置）の処理手段は、入力手段の入力を基に、制御情報と印刷情報とを記憶手段から抽出する処理を行う。
７）使用者は、記録媒体を記録手段にセットする。
８）作成システム（装置）の処理手段は、記録手段を用いて、抽出した制御情報を、記録媒体に記録する処理を行う。
９）使用者は、記録媒体を印刷手段にセットする。
１０）作成システム（装置）の処理手段は、印刷手段を用いて、抽出した印刷情報を基にした印刷を行う処理を行う。
【実施例３】
【００５４】
プログラムによって制御可能な（処理手段を具備する）電化製品に読込手段を具備し、記録媒体の作成システム（装置）にて作成した記録媒体に記録されている制御情報を読み込み、読み込んだ制御情報を基に、制御を行うことができるように構成する。
【００５５】
読み込み手段を電化製品に具備する方法としては、電化製品の一部として有線もしくは無線で繋ぎ構成する方法、電化製品の周辺機器として有線もしくは無線で繋ぎ構成する方法、などがある。
【００５６】
作成システムが記録媒体に記録する制御情報が、プログラムの場合は、電化製品は読み込んだプログラムを基に制御を行う。プログラムによって電化製品の制御を行う方法、手段は周知であり、電化製品の種類に応じて最適な、方法、手段を用いれば良い。
【００５７】
作成システムが記録媒体に記録する制御情報が、キー情報の場合は、電化製品は読み込んだキー情報を基にプログラムを抽出し制御を行う。この場合、例えば、電化製品には、キー情報毎にどのプログラムを実行するか、を電化製品の記憶手段に記憶しておき、制御情報を読み込んだ際に、読み込んだキー情報に応じたプログラムを抽出し実行できるように構成すればよい。例えば、キー情報が１００１であれば対応するプログラムとしてプログラムＡを抽出し実行する、キー情報が１０１０であれば対応するプログラムとしてプログラムＢを抽出し実行する、のようにキー情報毎に対応するプログラムを予め設定しておく。
【００５８】
実施例３の場合であって、記録媒体から制御情報としてのプログラムを読込み、制御を行う場合の、電化製品の処理の流れの一例を以下に説明する。
１）使用者は、記録媒体を電化製品の読込手段にセットする。
２）電化製品の処理手段は、読込手段を用いて、記録媒体に記録されているプログラム（制御情報）を読み込む処理を行う。
３）電化製品の処理手段は、読み込んだプログラム（制御情報）を基に、電化製品を制御する処理を行う。
【００５９】
実施例３の場合であって、記録媒体から制御情報としてのキー情報を読込み、制御を行う場合の、電化製品の処理の流れの一例を以下に説明する。
１）使用者は、記録媒体を電化製品の読込手段にセットする
２）電化製品の処理手段は、読込手段を用いて、記録媒体に記録されているキー情報（制御情報）を読み込む処理を行う。
３）電化製品の処理手段は、読み込んだキー情報（制御情報）を基に、記憶手段からプログラムを抽出する処理を行う。
４）電化製品の処理手段は、抽出したプログラムを基に、電化製品を制御する処理を行う。